(57)【要約】【課題】種々のユーザーが、希望する印刷条件を簡易且つ迅速に設定でき、確実に所望の画質等で印刷できるプリンターを提供する。【解決手段】複数の操作ボタンを有する本体操作部２０を具備するプリンター本体と、前記本体操作部を覆うように前記プリンター本体に着脱可能に取り付けられて前記複数の操作ボタンとは異なるパネルボタンを具備する操作制限パネル３０とを具備し、前記プリンター本体に設けられて前記本体操作部での操作と、前記操作制限パネルでの操作とを切り換える機能切換手段と、前記操作制限パネルに設けられて当該操作制限パネルが前記本体操作部に取り付けられた際に前記機能切換手段を切り換える切換係合部とを具備する。【選択図】図５
2013248838.tif 000002
【特許請求の範囲】
【請求項１】
複数の操作ボタンを有する本体操作部を具備するプリンター本体と、前記本体操作部を覆うように前記プリンター本体に着脱可能に取り付けられて前記複数の操作ボタンとは異なるパネルボタンを具備する操作制限パネルとを具備し、
前記プリンター本体に設けられて前記本体操作部での操作と、前記操作制限パネルでの操作とを切り換える機能切換手段と、
前記操作制限パネルに設けられて当該操作制限パネルが前記本体操作部に取り付けられた際に前記機能切換手段を切り換える切換係合部とを具備することを特徴とするプリンター。
【請求項２】
前記機能切換手段は、前記プリンター本体に設けられた切換スイッチを具備し、前記切換係合部は、前記切換スイッチを切り換える切換部を具備することを特徴とする請求項１に記載のプリンター。
【請求項３】
前記機能切換手段は、前記操作ボタンの少なくとも一つの長押しによる切換を含み、前記切換係合部は、前記操作ボタンの少なくとも一つを長押しする押圧部を具備することを特徴とする請求項１又は請求項２に記載のプリンター。
【請求項４】
前記操作制限パネルの取付により、少なくとも一部の印刷条件が設定されることを特徴とする請求項１〜３の何れか１項に記載のプリンター。
【請求項５】
前記操作制限パネルの取付により、所定の印刷条件が設定され、当該操作制限パネルは１つのパネルボタンを具備することを特徴とする請求項１〜３の何れか１項に記載のプリンター。
【請求項６】
可動式の紙幅ガイドを具備する給紙トレイを具備し、前記紙幅ガイドの位置を検出する位置検出センサーと、前記位置検出センサーの情報に基づいて紙種を設定する紙種設定手段とを具備することを特徴とする請求項１〜５の何れか１項に記載のプリンター。
【請求項７】
請求項１〜６の何れか１項に記載のプリンターに用いられることを特徴とする操作制限パネル。
【発明の詳細な説明】
【技術分野】
【０００１】
本発明は、種々のユーザーが各種印刷条件を簡易に且つ確実に設定できるプリンターに関する。
【背景技術】
【０００２】
従来から、インクジェット式記録ヘッド等を搭載したプリンター、レーザープリンターなど、一般消費者向けのプリンターにおいては、カラー又はモノクロなどの設定、普通紙、特殊用紙、紙厚などの紙種設定、高速印刷モード、高品質印刷モードなどの各種印刷条件の設定は、プリンター本体に設けられた操作パネルから、ユーザーが希望するコマンドを選択することにより行われている。
【０００３】
しかしながら、このようなプリンターの印刷条件の設定又は変更方法では、例えば、高齢者やパソコンを殆ど使ったことがないユーザーにとっては、設定方法が複雑であり、設定を忘れたり、誤った設定をしたりすることが多々あり、所望の画質を得られなかったり、全くの印刷の失敗になったりするという問題がある。
【０００４】
そこで、印刷条件を変更する方法として、複数の設定項目が設けられた設定用マークシートにユーザーが変更条件をマークして、該設定用マークシートを印刷し、その情報をスキャナーで読み取って解析することにより、自動的に設定変更できるものが提案されている（例えば、特許文献１参照）。
【先行技術文献】
【特許文献】
【０００５】
【特許文献１】特開２０１１−２３４２９４号公報
【発明の概要】
【発明が解決しようとする課題】
【０００６】
しかしながら、上述した方法によっても、不慣れなユーザーにとっては手続が煩雑である。
【０００７】
本発明はこのような事情に鑑み、種々のユーザーが、希望する印刷条件を簡易且つ迅速に設定でき、確実に所望の画質等で印刷できるプリンターを提供することを目的とする。
【課題を解決するための手段】
【０００８】
上記課題を解決する本発明の態様は、複数の操作ボタンを有する本体操作部を具備するプリンター本体と、前記本体操作部を覆うように前記プリンター本体に着脱可能に取り付けられて前記複数の操作ボタンとは異なるパネルボタンを具備する操作制限パネルとを具備し、前記プリンター本体に設けられて前記本体操作部での操作と、前記操作制限パネルでの操作とを切り換える機能切換手段と、前記操作制限パネルに設けられて当該操作制限パネルが前記本体操作部に取り付けられた際に前記機能切換手段を切り換える切換係合部とを具備することを特徴とするプリンターにある。
かかる本発明によれば、ユーザーが、必要に応じて操作制限パネルを取り付けることにより、希望する印刷条件を簡易且つ迅速に設定でき、確実に所望の画質等で印刷できるプリンターを実現することができる。
【０００９】
ここで、前記機能切換手段は、前記プリンター本体に設けられた切換スイッチを具備し、前記切換係合部は、前記切換スイッチを切り換える切換部を具備することが好ましい。
これによれば、操作制限パネルを取り付けた際に、切換係合部が切換スイッチを切り換えることにより、操作制限パネルでの操作に切り換わり、ユーザーが希望する印刷条件を簡易且つ迅速に設定でき、確実に所望の画質等で印刷できるプリンターを実現することができる。
【００１０】
また、前記機能切換手段は、前記操作ボタンの少なくとも一つの長押しによる切換を含み、前記切換係合部は、前記操作ボタンの少なくとも一つを長押しする押圧部を具備することが好ましい。
これによれば、操作制限パネルを取り付けた際に、押圧部が操作ボタンを長押ししたことによる切換が実現され、操作制限パネルでの操作に切り換わり、ユーザーが、希望する印刷条件を簡易且つ迅速に設定でき、確実に所望の画質等で印刷できるプリンターを実現することができる。
【００１１】
また、前記操作制限パネルの取付により、少なくとも一部の印刷条件が設定されることが好ましい。
これによれば、プリンター操作に不慣れなユーザーが、所望の操作制限パネルを取り付けるだけで、希望する印刷条件の一部が設定でき、確実に所望の画質等で印刷できるプリンターを実現することができる。
【００１２】
また、前記操作制限パネルの取付により、所定の印刷条件が設定され、当該操作制限パネルは１つのパネルボタンを具備することが好ましい。
これによれば、プリンター操作に不慣れなユーザーが、所望の操作制限パネルを取り付けるだけで、希望する印刷条件を簡易且つ確実に設定でき、ボタンを押すだけで確実に所望の画質等で印刷できるプリンターを実現することができる。
【００１３】
さらに、可動式の紙幅ガイドを具備する給紙トレイを具備し、前記紙幅ガイドの位置を検出する位置検出センサーと、前記位置検出センサーの情報に基づいて紙種を設定する紙種設定手段とを具備することが好ましい。
これによれば、ユーザーが誤ることなく、希望する大きさの紙に印刷することができる。
【００１４】
さらに、本発明の他の態様は、上記した何れかのプリンターに用いられることを特徴とする操作制限パネルにある。
かかる本発明によれば、ユーザーが、本体操作部を覆うように取り付けるだけで、希望する印刷条件を簡易且つ迅速に設定でき、確実に所望の画質等で印刷できる操作制限パネルを実現することができる。
【図面の簡単な説明】
【００１５】
【図１】実施形態１に係るインクジェット式プリンターの概略構成図。
【図２】実施形態１に係るインクジェット式プリンターの使用状態を示す図。
【図３】実施形態１に係るインクジェット式プリンターの本体操作部の要部拡大図。
【図４】実施形態１に係る操作制限パネルの正面図、背面図および背面斜視図。
【図５】実施形態１に係る操作制限パネルの取付状態を示す概略断面図。
【図６】操作制限パネルの他の例を示す正面図。
【発明を実施するための形態】
【００１６】
以下に、本発明を実施形態に基づいて詳細に説明する。
（実施形態１）
図１は本発明の実施形態１に係るインクジェット式プリンター（以下「プリンター」という）の概略構成を示す図であり、図２はプリンターの使用状態を示す概略構成図であり、図３はプリンターの本体操作部の要部拡大図であり、図４は操作制限パネルの一例であり、（ａ）が正面図、（ｂ）が背面図、（ｃ）が背面斜視図である。以下、図面を参照して、本発明の実施形態１に係るプリンター、本体操作部及びプリンターの本体操作部に着脱可能に取り付けられる操作制限パネルについて説明する。
【００１７】
（インクジェット式プリンター）
本実施形態に係るプリンターＩは、プリンター本体の筐体１０内部に図示を省略するインクジェット式記録ヘッド（以下「記録ヘッド」という）を具備し、記録ヘッドのノズルからインクを吐出することにより印刷用紙Ｓに印刷を行うものである。
【００１８】
図１及び図２に示すように、筐体１０の前面上部の傾斜面には、複数の操作ボタンを有する本体操作部２０が設けられている。本体操作部２０の下方には、取っ手１１を引くことにより略９０°開く本体カバー１２が設けられている。本体カバー１２の内側には、排出トレイ１３が収納されており、本体カバー１２を開くことにより前方手前の方向に引き出すことができ、この排出トレイ１３上に、印刷された印刷用紙Ｓが排出されるようになっている。
【００１９】
また、筐体１０の後方には給紙トレイ収納部１４が設けられ、給紙トレイ収納部１４内には、給紙トレイ１５が収納されている。給紙トレイ１５は、給紙トレイ収納部１４から上方に引き出すことができ、引き出された給紙トレイ１５上に印刷用紙Ｓがセットできるようになっている。また、給紙トレイ１５には、印刷用紙Ｓの紙幅の大きさに合わせて紙幅方向（左右）にスライドする一対の可動式の紙幅ガイド１６が設けられている。
【００２０】
（本体操作部）
本実施形態に係る本体操作部２０は、ユーザーがコマンドを選択するための複数の操作ボタンを備える。これらの操作ボタンは、図３に示すように、電源供給を管理するための電源ボタン２１と、設定されたコマンドを実行するためのスタートボタン２２と、コマンドを停止するためのストップボタン２３と、各種情報を表示するための表示部２４と、１つ前の画面に戻すための戻るボタン２５と、メニューを選択するためのメニューボタン２６と、印刷モードを選択するためのモード選択ボタン２７と、表示部に表示される各コマンドを選択するための上下左右選択ボタン２８ａ〜２８ｄと、各コマンドを決定するための決定ボタン２９と、から構成される。
【００２１】
また、筐体１０の本体操作部２０の４つの角には、取付孔１８が設けられ、後述する操作制限パネル３０の背面の４つの角に設けられている突出部３１が挿入されるようになっている。また、本実施形態では、取付孔１８の何れか１つの中には、本体操作部２０での操作を操作制限パネル３０での操作に切り換えるための切換スイッチ１９が設けられている。すなわち、操作制限パネル３０が本体操作部２０に取り付けられ、操作制限パネル３０の突出部３１が取付孔１８に嵌合すると、突出部３１により切換スイッチ１９が押され、この切換により、本体操作部２０の操作ボタンの少なくとも一部が無効となり、操作制限パネル３０での操作に切り換えられる。
【００２２】
（操作制限パネル）
操作制限パネル３０は、本体操作部２０を覆うように着脱可能に取り付けられるパネルであり、本実施形態では、上述したように、操作制限パネル３０の裏面の四隅に設けられた突出部３１を本体操作部２０の取付孔１８に嵌合することにより取り付けられる。
【００２３】
図４に示すように、操作制限パネル３０は学生を主な対象とした操作制限パネル（学生用パネル）であり、本体操作部２０に設けられた電源ボタン２１、スタートボタン２２、ストップボタン２３及び表示部２４のそれぞれの位置に対向する位置にそれぞれ貫通する、電源ボタン孔３２、スタートボタン孔３３、ストップボタン孔３４及び表示部孔３５が設けられている。
【００２４】
すなわち、操作制限パネル３０が取り付けられた状態で、電源ボタン孔３２、スタートボタン孔３３、ストップボタン孔３４を介して、電源ボタン２１、スタートボタン２２、ストップボタン２３が使用できるようになっており、また、表示部孔３５を介して表示部２４の表示を目視できるようになっている。
【００２５】
操作制限パネル３０にはパネルボタンとして、Ａ４、Ｂ５、Ｂ４、Ａ３の紙サイズを指定するための文書ボタン４１〜４４と、葉書印刷のための葉書ボタン４５と、写真印刷のための写真ボタン４６と、記録ヘッドのクリーニングを行うためのクリーニングボタン４７とを具備する。これらのパネルボタンは、本体操作部２０の操作ボタンと対向する位置に設けられ、パネルの裏面側まで貫通する状態で保持され、各ボタンの裏面側は、対向する位置の操作ボタンを押圧する押圧部４１ａ〜４７ａとなっている。
【００２６】
具体的には、文書ボタン４１〜４４の押圧部４１ａ〜４４ａは、上下左右選択ボタン２８ａ〜２８ｄに対向し、Ａ４紙を選択する文書ボタン４１を押すと、押圧部４１ａが左選択ボタン２８ａを押し、Ｂ５紙を選択する文書ボタン４２を押すと、押圧部４２ａが右選択ボタン２８ｂを押し、Ｂ４紙を選択する文書ボタン４３を押すと、押圧部４３ａが上選択ボタン２８ｃを押し、Ａ３紙を選択する文書ボタン４４を押すと、押圧部４４ａが下選択ボタン２８ｄを押すようになっている。また、葉書ボタン４５の押圧部４５ａはモード選択ボタン２７に対向し、写真ボタン４６の押圧部４６ａはメニューボタン２６に対向し、クリーニングボタン４７の押圧部４７ａは戻るボタン２５に対向するようになっており、葉書ボタン４５、写真ボタン４６、クリーニングボタン４７がそれぞれ押されると、モード選択ボタン２７、メニューボタン２６、戻るボタン２５がそれぞれ押されるようになっている。
【００２７】
このように、本実施形態の操作制限パネル３０を取り付けると、紙サイズの選択を文書ボタン４１〜４４でダイレクトに行うことができ、葉書ボタン４５、写真ボタン４６で葉書印刷、写真印刷の印刷モードの設定が簡便且つ迅速に行うことができ、クリーニングボタン４７によりクリーニングも簡便且つ迅速に行うことができるようになる。なお、上述したとおり、本体操作部２０に設けられた電源ボタン２１、スタートボタン２２、ストップボタン２３及び表示部２４は、操作制限パネル３０に設けられた電源ボタン孔３２、スタートボタン孔３３、ストップボタン孔３４及び表示部孔３５を介して、そのまま使用できるようになっている。
【００２８】
このような操作制限パネル３０を取り付けることによる、本体操作部２０での操作から、操作制限パネル３０を介しての操作への切換は、本実施形態では、取付孔１８内に設けられた切換スイッチ１９により行われるようになっている。すなわち、操作制限パネル３０の突出部３１を取付孔１８に挿入して、操作制限パネル３０を本体操作部２０を覆うように取り付けることにより、取付孔１８の何れかに設けられた切換スイッチ１９が突出部３１に押圧され、操作の切換が行われる。
【００２９】
具体的には、本体操作部２０の操作ボタンのうち、左選択ボタン２８ａはＡ４紙を選択する機能に切り換えられ、右選択ボタン２８ｂはＢ５紙を選択する機能に切り換えられ、上選択ボタン２８ｃはＢ４紙を選択する機能に切り換えられ、下選択ボタン２８ｄはＡ３紙を選択する機能に切り換えられ、モード選択ボタン２７は葉書印刷モード、すなわち、紙種を葉書サイズ、厚紙に設定したモードを選択する機能に切り換えられ、メニューボタン２６は写真印刷モード、すなわち、高精細印刷モードで、紙種を写真印刷用紙に設定する機能に切り換えられ、戻るボタン２５はクリーニングを開始する機能に切り換えられる。なお、本体操作部２０に設けられた電源ボタン２１、スタートボタン２２、ストップボタン２３に付与された機能はそのまま維持される。また、本体操作部２０の操作ボタンの機能の切り換えに応じて、表示部２４への表示も変更されるようになっていることは言うまでもない。
【００３０】
本実施形態の操作制限パネル３０の取付状態の概略を図５（ａ）、（ｂ）を参照して説明する。図５（ａ）、（ｂ）は、図４のＡ−Ａ′線概略断面を示し、操作制限パネル３０の突出部３１が本体操作部２０に設けられた取付孔１８に挿入される状態を示す。取付孔１８の一方には、切換スイッチ１９が設けられ、取付孔１８に突出部３１が嵌合することにより切換スイッチ１９が押圧されると、上述したような機能の切換の制御信号がプリンター制御部５０に送られる。これにより、本体操作部２０の操作ボタンの一部について、機能の切換が行われる。そして、例えば、左選択ボタン２８ａの機能は、左選択の機能から、Ａ４紙の選択機能へ切り換えられ、図５（ｂ）に示すように、操作制限パネル３０が取り付けられて切換スイッチ１９が押圧された後には、本体操作部２０での操作は操作制限パネル３０での操作に切り換えられるので、文書ボタン４１を介して左選択ボタン２８ａが押されると、プリンター制御部５０は、文書ボタン４１の機能に従いＡ４紙が選択されたものと判断する。
【００３１】
本実施形態では、例えば、学生を主な対象とした学生用パネルとして操作制限パネル３０を例示したが、操作制限パネルはこれに限定されず、本実施形態に係る以外の操作制限パネルを具備してもよい。
【００３２】
学生以外のユーザー用の操作制限パネルとしては、ユーザーが高齢者の場合は高齢者用パネル、子供の場合は子供用パネルなどが挙げられる。高齢者用パネルの場合は、例えば、文書印刷又は葉書印刷又は写真印刷又はクリーニングを選択できるようにし、仮に文書印刷を選択した場合には、使用頻度の高いと思われるＡ４紙が自動的に選択されるようにしてもよい。
【００３３】
また、子供用パネルの場合は、設定方法が複雑にならないように、例えば、文書印刷又は葉書印刷又は写真印刷のみ選択できるようにしてもよい。文書印刷を選択した場合の紙サイズはＡ４とし、写真印刷を選択した場合の紙サイズは、一般的なサイズ（Ｌ判）として自動的に設定されるようにしてもよい。
【００３４】
また、ユーザー毎の操作制限パネルの他、機能毎の操作制限パネルを具備してもよい。例えば、機能毎の操作制限パネルとしては写真印刷に特化した写真印刷用パネルが挙げられ、写真印刷用パネルは画質設定ボタン、光沢紙などの紙種を選択するボタンなど、写真印刷用に特化した設定が容易且つ迅速に行えるようなパネルボタンを具備したパネルである。
【００３５】
また、さらに機能を特化した操作制限パネルとすることもできる。詳細は後述する実施形態２で説明するが、例えば、葉書印刷用パネルとして、これを取り付けると、葉書印刷モードに設定され、印刷スタートボタンのみ操作すればよいというもの、又はＬ版写真印刷用パネルとして、パネルを取り付けると、Ｌ版写真印刷用の設定が自動的に行われ、印刷スタートボタンのみを操作すればよいというものが挙げられる。
【００３６】
このように、複数の操作制限パネルを具備する場合の操作の切換は、例えば、上述した実施形態の４つの取付孔１８内に異なる制御信号を出力する４つの切換スイッチ１９を設けることにより行うことができる。例えば、４種類の操作制限パネルの中から、目的に応じたパネルを選択して、本体操作部２０に取り付けた際に、それぞれのパネル毎に異なる切換スイッチが押圧されるようにすることにより、４パターンの切換が可能となり、４種類の異なる操作制限パネルを取り付けることができる。
【００３７】
１つの切換スイッチのみを押圧する構造としては、所定の切換スイッチ１９が設けられた取付孔１８に嵌合する突出部３１のみの寸法を長くし、他の切換スイッチに対応する突出部３１の寸法を短くしておけばよい。また、所定の２つ以上の切換スイッチ１９が同時に押圧された場合には、別の制御信号と判断するようにしておけば、４つの切換スイッチ１９で５つ以上の操作切換パネルに対応することができる。さらに、例えば、取付孔１８を５つ以上として、切換スイッチ１９をそれぞれに設けるようにしてもよい。
【００３８】
また、上述した実施形態では、操作の切換を、切換スイッチにより行う場合で説明したが、本体操作部２０の操作ボタンを使用し、所定の１つ又は２つ以上の操作ボタンが長押しされた場合に、所定の切換を行う制御信号が出るようにすることにより、操作の切換を行うようにしてもよい。この場合にも、複数の操作制限パネルに対応することができる。
【００３９】
さらに、本体操作部２０内に操作ボタンとは別に各種センサーを設けて、これを切換スイッチの代わりにしてもよい。
【００４０】
また、上述した実施形態では、本体操作部２０の操作ボタンと、操作制限パネル３０のパネルボタンとを、一対一で対応させたが、例えば、１つのパネルボタンの押し込みで、複数の操作ボタンを押圧するようにすることもでき、本体操作部２０では、小さな操作ボタンの細かい配置であったものを、操作制限パネルにより、大きいパネルボタンをゆったりと配置するものに切り換えることもできる。また、機能の切換とは異なるが、操作ボタンの機能の表示が細かいものであっても、操作制限パネルにおいて大きな文字の表示とすることもできる。
【００４１】
さらに、操作制限パネルの取付手段は、上述した取付孔への突出部の嵌合ではなく、筐体側面での係合、磁石等、いかなる取付手段であってもよい。
【００４２】
（実施形態２）
（操作制限パネル）
実施形態２は、操作制限パネルの構成の変形例である。実施形態１と同一部材には同一符号を付し、重複する説明は省略する。
【００４３】
図６は、本実施形態に係るＬ版写真印刷用の操作制限パネル３０Ａの正面図である。実施形態１における操作制限パネル３０は、操作制限パネル３０を本体操作部２０に取り付けた後に、文書印刷又は写真印刷又は葉書印刷を選択できるタイプのものであるが、本実施形態における操作制限パネル３０Ａは、本体操作部２０に取り付けるだけで簡単に印刷条件の設定が行える初心者ユーザー向けのパネルである。具体的には、操作制限パネル３０Ａを本体操作部２０に取り付け、あとはスタートボタン孔３３Ａ内のスタートボタン２２を押すだけで、印刷が行えるものである。
【００４４】
操作制限パネル３０Ａは、スタートボタン孔３３Ａ、表示部孔３５Ａ、背面側の突出部３１Ａ及び押圧部４１ａを具備する。
【００４５】
操作制限パネル３０Ａを取り付けると、切換スイッチ１９が突出部３１Ａにより押圧され、本体操作部２０での操作は操作制限パネル３０Ａでの操作に切り換わる。また、操作制限パネル３０Ａの取付けと同時に操作制限パネル３０Ａの背面に設けられた押圧部４１ａが該押圧部４１ａと対向する位置に設けられた操作ボタンを長押しすることにより、操作制限パネル３０Ａでの操作、ここでは押圧部４１ａでの操作に従い、印刷条件、本実施形態ではＬ版写真印刷の印刷条件が自動的に設定される。
【００４６】
なお、操作ボタンを長押しする押圧部は、本実施形態では４１ａであるが、押圧部４２ａ〜４７ａのいずれか１であってもよく、押圧部４１ａ〜４７ａのいずれか２以上であってもよい。また、押圧部４１ａ〜４７ａにより長押しされる操作ボタンは、同時に切換スイッチとしての機能を有する場合もある。
【００４７】
本実施形態に係るＬ版写真印刷用の操作制限パネル３０Ａは、一例であり、他に、文書印刷用パネル、Ｌ版以外の写真印刷用パネル、葉書印刷用パネル等が挙げられる。例えば、文書印刷用パネルを取り付けた場合は、紙サイズについては、通常、ユーザーが最も使用すると思われるＡ４紙に自動的に設定されるようにし、その他の要件については一般的な標準モードとして自動的に設定されるようにすればよい。また、写真印刷用パネルや葉書印刷用パネルの場合についても同様にユーザーが最も使用すると思われる紙サイズ及び一般的な標準モードが自動的に設定されるようにすればよい。
【００４８】
（プリンター）
本実施形態に係るプリンターは、上述した各実施形態のように本体操作部での操作を操作制限パネルでの操作に切り換えることができるものであるが、さらに、紙の大きさを紙幅により検出する機能を具備することもできる。
【００４９】
すなわち、本実施形態のプリンターは、図２に示す紙幅ガイド１６の位置を検出する位置検出センサー、例えば、リニアエンコーダーなどを具備するものである。
【００５０】
この位置検出センサーは、高精度である必要はなく、例えば、Ａ４サイズの幅、Ｂ５サイズの幅、Ｂ４サイズの幅、葉書サイズの縦幅、横幅、Ｌ版サイズの縦幅、横幅などを区別できるものであればよく、また、位置検出センサーからの位置情報信号による紙幅の検出は、上述したような所定の紙幅の中の何れに該当するかを検出できればよい。
【００５１】
このような位置検出センサーによる紙幅検出により、紙種を自動的に設定するようにしてもよい。この場合、操作制限パネルによる紙種の設定を省略することができる。
【００５２】
また、例えば、上述した操作制限パネル３０によって紙種を設定できる場合においては、操作制限パネル３０を介しての紙種の設定よりも紙幅の検出を優先させてもよいが、紙種の設定と紙幅の検出結果とが一致することを印刷開始の条件として、印刷の失敗を防止するようにしてもよい。すなわち、紙種の設定と、紙幅の検出とが一致した場合には、印刷開始指令により印刷をそのまま行うが、一致しない場合は、印刷開始指令を中断して警告を発するというものである。これにより、紙種の設定を誤った誤印刷を未然に防止することができる。
【００５３】
また、本実施形態の紙幅の検出は、高級機種の紙種自動判別とは異なり、非常に簡便な構造且つ低コストで、紙幅を判別することができるものである。
【００５４】
（他の実施形態）
上記実施形態においては、記録装置の一例としてインクジェット式プリンターを挙げて説明したが、本発明は、広く記録装置全般を対象としたものであり、レーザープリンターや熱転写方式などの記録装置であってもよく、ＦＡＸ装置、コピー装置、あるいはこれら複数機能を備えた複合機等であってもよい。
【符号の説明】
【００５５】
Ｉ  インクジェット式プリンター、  １０  筐体、  １１  取っ手、  １２  本体カバー、  １３  排出トレイ、  １４  給紙トレイ収納部、  １５  給紙トレイ、  １６  紙幅ガイド、  １８  取付孔、  １９  切換スイッチ、  ２０  本体操作部、  ２１  電源ボタン、  ２２  スタートボタン、  ２３  ストップボタン、  ２４  表示部、  ２５  戻るボタン、  ２６  メニューボタン、  ２７  モード選択ボタン、  ２８ａ〜２８ｄ  上下左右選択ボタン、  ２９  決定ボタン、  ３０  操作制限パネル、  ３１  突出部、  ３２  電源ボタン孔、  ３３  スタートボタン孔、  ３４  ストップボタン孔、  ３５  表示部孔、  ４１〜４４  文書ボタン、  ４１ａ〜４７ａ  押圧部、  ４５  葉書ボタン、  ４６  写真ボタン、  ４７  クリーニングボタン、  ５０  プリンター制御部、  Ｓ  印刷用紙
【図１】
2013248838.tif 000003
【図２】
2013248838.tif 000004
【図３】
2013248838.tif 000005
【図４】
2013248838.tif 000006
【図５】
2013248838.tif 000007
【図６】
2013248838.tif 000008